(57)【要約】
【課題】取付強度あるいは剛性を向上させるとともに、優れた意匠的効果を有する釣り竿グリップおよび釣り竿を提供する。
【解決手段】リールシート部５に釣り竿ロッド１に嵌着するフレーム部材７を有し、フレーム部材７とリール装着時の負荷荷重が作用するメタルフード１３とをフードアジャスタ１４を介して結合する。フードアジャスタ１４をメタルフード１３に対して、フレーム部材７の軸方向に延出させ、延出部分７ａを含めフレーム部材７に嵌合接着する。メタルフード１３の端部をフレーム部材７の軸方向に突出させ、突出部分１３ａを含めフレーム部材７に嵌合接着する。
【選択図】       図１
0003101203.tif 000002
【実用新案登録請求の範囲】
【請求項１】
釣り竿ロッドを支持するとともに、所定部位にリールを搭載するためのリールシート部を有する釣り竿グリップであって、
前記リールシート部に前記釣り竿ロッドに嵌着するフレーム部材を有し、このフレーム部材とリール装着時の負荷荷重が作用するメタルフードとをフードアジャスタを介して結合し、
前記フードアジャスタを前記メタルフードに対して、前記フレーム部材の軸方向に延出させ、この延出部分を含め前記フレーム部材に嵌合接着することを特徴とする釣り竿グリップ。
【請求項２】
前記メタルフードの端部を前記フレーム部材の軸方向に突出させ、この突出部分を含め前記フレーム部材に嵌合接着することを特徴とする請求項１に記載の釣り竿グリップ。
【請求項３】
前記リールシート部の前記フレーム部材にシートグリップが嵌着し、このシートグリップの端部に前記フードアジャスタの延出部分が嵌合するとともに、前記シートグリップのリール搭載部にシートプレートを介して前記リールの取付部を取付固定するようにしたことを特徴とする請求項１に記載の釣り竿グリップ。
【請求項４】
前記リールシート部の前記フレーム部材にシートグリップが嵌着し、このシートグリップの端部に前記フードアジャスタの延出部分が嵌合するとともに、前記シートグリップのリール搭載部にシートプレートを介して前記リールの取付部を取付固定するようにしたことを特徴とする請求項２に記載の釣り竿グリップ。
【請求項５】
少なくとも前記フレーム部材、前記シートプレートおよび前記メタルフードを金属あるいは所定の剛性を有する素材により形成し、これらの部材と前記釣り竿ロッドとが一体的に結合されることを特徴とする請求項４に記載の釣り竿グリップ。
【請求項６】
釣り竿ロッドの基端部を支持するグリップを備えた釣り竿であって、
前記グリップは、所定部位にリールを搭載するためのリールシート部を有し、
前記リールシート部に前記釣り竿ロッドに嵌着するフレーム部材を有し、このフレーム部材とリール装着時の負荷荷重が作用するメタルフードとをフードアジャスタを介して結合し、
前記フードアジャスタを前記メタルフードに対して、前記フレーム部材の軸方向に延出させ、この延出部分を含め前記フレーム部材に嵌合接着することを特徴とする釣り竿。
【請求項７】
前記グリップは、前記メタルフードの端部を前記フレーム部材の軸方向に突出させ、この突出部分を含め前記フレーム部材に嵌合接着することを特徴とする請求項６に記載の釣り竿。
【考案の詳細な説明】
【技術分野】
【０００１】
本考案は、釣り竿の基端部を支持し、その所定部位にリールを搭載するためのリールシート部を有する釣り竿グリップおよびその釣り竿に関するものである。
【背景技術】
【０００２】
この種の釣り竿においてたとえば、ロッドの基端部にグリップが挿着し、該グリップを把持するようにしている。従来の釣り竿、特にそのグリップまわりの構造において所謂、ブランクスルー等と呼ばれ、たとえば図１８のようにグリップ１００の挿通孔に挿入されるブランク（ロッド）１０１が、該グリップ１００を貫通するというものである。
【０００３】
この場合、グリップ１００はフロントグリップ部１０２、リールを搭載するためのリールシート部１０３およびリヤグリップ部１０４を含んでいる。リールシート部１０３にはロッド１０１に嵌着するフレーム部材１０５を有する。
【０００４】
また、図１９に示した従来の釣り竿ではリールシート部１０３にシートグリップ１０７を有し、リヤグリップ部１０４との繋ぎ部分にメタルシート１０８が配設される。
【考案の開示】
【考案が解決しようとする課題】
【０００５】
しかしながら、従来の釣り竿（図１８）では単にグリップ１００のリールシート部１０３にリール２００の取付部２０１をあてがい、締付用スクリュー１０６によって締付固定するだけの単純な構造であった。そのため必ずしも十分な取付強度を確保することができなかった。また、意匠的にも特にリールシート部まわりにおいて、剛性感あるは一体感等を得るのが難しかった。
【０００６】
また、図１９に示した釣り竿では構成部品点数が少なく、長期間の使用で部品相互間に隙間が生じたり、リール２００の取付部２０１がシートグリップ１０７（たとえばコルク製である）が直接当接するため、そのコルクの変形等が発生する。
【０００７】
本考案はかかる実情に鑑み、取付強度あるいは剛性を向上させるとともに、優れた意匠的効果を有する釣り竿グリップおよび釣り竿を提供することを目的とする。
【課題を解決するための手段】
【０００８】
本考案の釣り竿グリップは、釣り竿ロッドを支持するとともに、所定部位にリールを搭載するためのリールシート部を有する釣り竿グリップであって、前記リールシート部に前記釣り竿ロッドに嵌着するフレーム部材を有し、このフレーム部材とリール装着時の負荷荷重が作用するメタルフードとをフードアジャスタを介して結合し、前記フードアジャスタを前記メタルフードに対して、前記フレーム部材の軸方向に延出させ、この延出部分を含め前記フレーム部材に嵌合接着することを特徴とする。
【０００９】
また、本考案の釣り竿グリップにおいて、前記メタルフードの端部を前記フレーム部材の軸方向に突出させ、この突出部分を含め前記フレーム部材に嵌合接着することを特徴とする。
【００１０】
また、本考案の釣り竿グリップにおいて、前記リールシート部の前記フレーム部材にシートグリップが嵌着し、このシートグリップの端部に前記フードアジャスタの延出部分が嵌合するとともに、前記シートグリップのリール搭載部にシートプレートを介して前記リールの取付部を取付固定するようにしたことを特徴とする。
【００１１】
また、本考案の釣り竿グリップにおいて、前記リールシート部の前記フレーム部材にシートグリップが嵌着し、このシートグリップの端部に前記フードアジャスタの延出部分が嵌合するとともに、前記シートグリップのリール搭載部にシートプレートを介して前記リールの取付部を取付固定するようにしたことを特徴とする。
【００１２】
また、本考案の釣り竿グリップにおいて、少なくとも前記フレーム部材、前記シートプレートおよび前記メタルフードを金属あるいは所定の剛性を有する素材により形成し、これらの部材と前記釣り竿ロッドとが一体的に結合されることを特徴とする。
【００１３】
また、本考案の釣り竿は、釣り竿ロッドの基端部を支持するグリップを備えた釣り竿であって、前記グリップは、所定部位にリールを搭載するためのリールシート部を有し、前記リールシート部に前記釣り竿ロッドに嵌着するフレーム部材を有し、このフレーム部材とリール装着時の負荷荷重が作用するメタルフードとをフードアジャスタを介して結合し、  前記フードアジャスタを前記メタルフードに対して、前記フレーム部材の軸方向に延出させ、この延出部分を含め前記フレーム部材に嵌合接着することを特徴とする。
【００１４】
また、本考案の釣り竿において、前記グリップは、前記メタルフードの端部を前記フレーム部材の軸方向に突出させ、この突出部分を含め前記フレーム部材に嵌合接着することを特徴とする。
【考案の効果】
【００１５】
本考案によれば、この種の釣り竿においてフレーム部材からシートプレートおよびメタルフードまでの部材に剛性の高い材料により形成することで、リールシート部まわりにおいてロッドとの一体感が確保され、これにより釣り竿の感度を有効に向上することができるとともに、意匠的にも剛性感および一体感を得ることができる等の利点を有している。
【考案を実施するための最良の形態】
【００１６】
以下、本考案による釣り竿グリップおよび釣り竿の好適な実施の形態について、添付図面に基づいて詳細に説明する。
【００１７】
図１は、本考案に係る釣り竿を示している。たとえばカーボンあるいはグラスファイバ製のロッド１（メインブランク）の基端部にグリップ２が挿着され、該グリップ２を把持するようになっている。このグリップ２は所謂、ブランクスルー構造を有し、グリップ２に挿入されるロッド１が、該グリップ２を貫通している。
【００１８】
グリップ２はフロントグリップ３およびリヤグリップ４を含み、フロントグリップ３からリヤグリップ４の前部までの間にリールシート部５が設定される。このリールシート部５にリール２００が搭載されるようになっている。フロントグリップ３およびリヤグリップ４は合成樹脂材あるいはコルク材等により形成され、リヤグリップ４の後端部にはグリップエンド６が付設される。
【００１９】
図２および図３は、グリップ２あるいはリールシート部５まわりの構成パーツの例を示している。リールシート部５において、フレーム部材７がロッド１に嵌着する。フレーム部材７はカーボン等により形成され、フレーム部材７に締付用スクリュー８およびリール搭載用シートグリップ９が連なって外嵌する。シートグリップ９のリール搭載部９ａにはシートプレート１０を介して、リール２００の取付部２０１を取付固定するようになっている。
【００２０】
スクリュー８およびシートグリップ９の間にはスクリューエンド１１が介挿される。また、スクリュー８には前後方向に移動可能なスクリューフード１２が螺着する。スクリュー８およびスクリューフード１２の螺合結合を除き、各構成パーツは接着剤により結合される。
【００２１】
各パーツの形成材料につきスクリュー８は合成樹脂材等により形成され、シートグリップ９はコルクあるいは合成樹脂材等により形成される。また、シートプレート１０はアルミニウム合金等により形成される。
【００２２】
シートグリップ９はリヤグリップ４の前端から滑らかな曲線となるように連接し、図６にも示すようにその一部（下側）を平坦にカットしてなるリール搭載部９ａにシートプレート１０が面当りするようになっている。シートプレート１０は図７に示されるように、シートグリップ９のリール搭載部９ａとほぼ整合する形状（図７（ａ））、すなわち概略矢印状に形成される。シートプレート１０の中央部には緩やかな起伏部１０ａが形成されており、この起伏部１０ａはシートグリップ９の開口部９ｂに対応配置されるようになっている。なお、シートプレート１０は起伏部１０ａを下側にして取り付けられ、この起伏部１０ａ側にリール２００の取付部２０１が当接するようになっている。
【００２３】
シートグリップ９およびリヤグリップ４の連設部分には、メタルフード１３およびフードアジャスタ１４が介置される（図４および図５参照）。メタルフード１３はアルミニウム合金等により形成され、リヤグリップ４の前端部に設けた凹部４ａ内に収容される。フードアジャスタ１４はコルク以上の硬さのもの（たとえばコルク、ＥＶＡ、カーボン、木、アルミニウム合金あるいは合成樹脂等）により形成され、メタルフード１３の内側でフレーム部材７に外嵌する。図５に示すようにフードアジャスタ１４の一部（下側）は平坦にカットされる。
【００２４】
シートプレート１０はたとえば図８（ａ）に示すように、複数のネジ穴１０ｂを形成し、そのネジ穴１０ｂに挿入したネジ（図示せず）によりパイプシート９に螺着することができる。また、図８（ｂ）のようにたとえば起伏部１０ａに肉抜き１０ｃを形成して軽量化を図り、あるいは空きスペース等に文字や図形等を施すことも可能である。
【００２５】
さらに、図９に示すようにシートプレート１０の特に起伏部１０ａまわりは、湾曲状（図９（ａ））の他に図９（ｂ）のように山型に形成し、あるいは図９（ｃ）のように階段状に形成してもよい。また、図９（ｄ）のように湾曲状の起伏部１０ａの中央部に溝もしくは凹部を設けてもよい。
【００２６】
特に本考案ではフレーム部材７とリール装着時の負荷荷重が作用するメタルフード１３とをフードアジャスタ１４を介して結合する。この場合フードアジャスタ１４をメタルフード１３に対して、フレーム部材７の軸方向（フロント側）に少なくとも０ｍｍ以上延出させる。そして、この延出部分１４ａを含めフレーム部材７に嵌合接着する。
【００２７】
また、メタルフード１３の端部をフレーム部材７の軸方向（リヤ側）に突出させ、この突出部分１３ａを含めフレーム部材７に嵌合接着する。
【００２８】
また、リールシート部５のフレーム部材７にシートグリップ９が嵌着し、このシートグリップ９の端部にフードアジャスタ１４の延出部分１４ａが嵌合する。シートグリップ９のリール搭載部９ａには、シートプレート１０を介してリール２００の取付部２０１が取付固定される。
【００２９】
上述のように本考案のグリップ２において、少なくともフレーム部材７、シートプレート１０およびメタルフード１３は金属あるいは所定の剛性を有する素材により形成され、これらの部材と釣り竿ロッド１とが一体的に結合される。
【００３０】
本考案の実施形態において、パイプシート９のリール搭載部９ａに設定されたシートプレート１０に取付部２０１をあてがい、スクリューフード１２をねじ込むことで図１のようにリール２００が取付固定される。
【００３１】
特に本考案では、フードアジャスタ１４は延出部分１４ａを有し、図１０（ａ）にも示したように延出部分１４ａを含めフレーム部材７に嵌合接着する。このようにフレーム部材７およびフードアジャスタ１４の結合部分を大きく（長く）したことで、両者の結合強度を強くし、リール装着時の負荷荷重（図１０（ａ）、矢印Ｆ参照）に有効に対応することができる。すなわち強度不足に起因して経年変化のためにフレーム部材７からフードアジャスタ１４が位置ずれし、隙間が生じる等の危険は全くなくなる。
【００３２】
また、メタルフード１３は突出部分１３ａを有し、図１０（ｂ）にも示したように突出部分１３ａを含めフレーム部材７に嵌合接着する。この場合にもフレーム部材７およびメタルフード１３の結合部分を大きく（長く）したことで、両者の結合強度を強くする。
【００３３】
さらに、ロッド１に嵌着するフレーム部材７に締付用スクリュー８およびリール搭載用パイプシート９が連なって外嵌する。また、リール２００の取付部２０１はシートプレート１０およびメタルフード１３等によって取付固定される。このようにフレーム部材７からシートプレート１０およびメタルフード１３等までの部材に剛性の高い材料により形成することで、リールシート部５まわりにおいてロッド１との一体感が確保され、これにより釣り竿の感度を有効に向上することができる。
【００３４】
また、特にパイプシート９のリール搭載部９ａにシートプレート１０を設け、このシートプレート１０を介してリール１００を取付固定することで、その取付強度あるいは撓み剛性等を高める。これにより経年劣化等に対しても強く、意匠的にも剛性感および一体感を得ることができる。
【００３５】
ここで、本考案の実施形態における変形例を説明する。たとえば図１１の例のようにメタルフード１３が露出するように構成される。図１２は、この場合のリールシート部５まわりの構成パーツの例を示している。なおフードアジャスタ１４は、メタルフード１３の内側でフレーム部材７に外嵌する。この例によれば金属製のメタルフード１３を露出させることで、優れた意匠外観を得ることができる。
【００３６】
また、図１３の例のようにメタルフード１３をリヤグリップ４によって覆ってしまってもよい。メタルフード１３を見えなくする等の意匠的工夫を行なうことができる。図１４は、この場合のリールシート部５まわりの構成パーツの例を示している。
【００３７】
さらに、図１５の例のようにメタルフード１３の外周にさらにメタルフードカバー１５を取り付けてもよい。図１６は、この場合のリールシート部５まわりの構成パーツの例を示している。この例によればメタルフード１３の外周に別部品を付加することにより、意匠的にさらに工夫することができる。なお、メタルフードカバー１５はメタルフード１３と一体でもよく、また素材等を変更して意匠的に種々工夫することができる。
【００３８】
なお、本考案は、上述した実施形態にのみ限定されるものではなく、必要に応じて適宜変更、設定可能であり、上記実施形態と同様な作用効果を得ることができる。
【００３９】
たとえば図１７に示したようにフロントグリップ１６の後端から滑らかな曲線となるようにシートグリップ１７を連接し、両者の連設部分に、上記実施形態と実質的に同様に構成されたメタルフード１３およびフードアジャスタ１４が介置される。
【００４０】
また、メタルフード１３およびフードアジャスタ１４は一体形成物で構成することができ、さらにその他のパーツについても必要に応じて一体化構成することができる。
【図面の簡単な説明】
【００４１】
【図１】本考案の実施形態に係る釣り竿を示す底面図および側面図である。
【図２】本考案の実施形態における構成パーツの例を示す図である。
【図３】本考案の実施形態における構成パーツの例を示す図である。
【図４】本考案の実施形態に係るメタルフードを示す図である。
【図５】本考案の実施形態に係るフードアジャスタを示す図である。
【図６】本考案の実施形態に係るシートグリップを示す図である。
【図７】本考案の実施形態に係るシートプレートを示す図である。
【図８】本考案の実施形態に係るシートプレートの変形例を示す図である。
【図９】本考案の実施形態に係るシートプレートの変形例を示す図である。
【図１０】本考案の実施形態における作用を示す図である。
【図１１】本考案の変形例に係る釣り竿を示す側面図である。
【図１２】本考案の上記変形例における構成パーツの例を示す図である。
【図１３】本考案の別の変形例に係る釣り竿を示す側面図である。
【図１４】本考案の上記別の変形例における構成パーツの例を示す図である。
【図１５】本考案のさらに別の変形例に係る釣り竿を示す側面図である。
【図１６】本考案の上記さらに別の変形例における構成パーツの例を示す図である。
【図１７】本考案の別の適用例を示す図である。
【図１８】従来例を示す図である。
【図１９】別の従来例を示す図である。
【符号の説明】
【００４２】
１  ロッド
２  グリップ
３  フロントグリップ
４  リヤグリップ
５  リールシート部
７  フレーム部材
８  締付用スクリュー
９  シートグリップ
１０  シートプレート
１２  スクリューフード
１３  メタルフード
１４  フードアジャスタ
【図１】
0003101203.tif 000003
【図２】
0003101203.tif 000004
【図３】
0003101203.tif 000005
【図４】
0003101203.tif 000006
【図５】
0003101203.tif 000007
【図６】
0003101203.tif 000008
【図７】
0003101203.tif 000009
【図８】
0003101203.tif 000010
【図９】
0003101203.tif 000011
【図１０】
0003101203.tif 000012
【図１１】
0003101203.tif 000013
【図１２】
0003101203.tif 000014
【図１３】
0003101203.tif 000015
【図１４】
0003101203.tif 000016
【図１５】
0003101203.tif 000017
【図１６】
0003101203.tif 000018
【図１７】
0003101203.tif 000019
【図１８】
0003101203.tif 000020
【図１９】
0003101203.tif 000021